(57)【要約】 【課題】作業スペースが広く確保できて洗髪時に頭をぶつけることがない洗面化粧台の構造を提供することを目的とする。 【解決手段】  洗面化粧台２１は洗面キャビネット２２の上部２２ａにボウル２３を備え、その上方に空間部２４を介してミラーキャビネット２５を設ける。空間部２４には、ボウル２３の後方の立壁部２６と連続して天面張出部２９が一体的に形成される。天面張出部２９は、立壁部２６の上端部２６ａに連結する下面部２７と、下面部２７の前端部２７ａから上方に垂直な前面部２８とで形成される。そして、下面部２７の前端部２７ａがミラーキャビネット２５のミラー部２５ａより突出しないように形成される。また、吐水口３５が下面部２７に設けられた取付け孔３６から突出して設けられ、水栓装置３５と配水管３９が裏空間部３１に収納され、水栓装置レバー３８が立壁部２６の上方部に突出して設けられる。【選択図】  図２
2009153552.tif 000002
【特許請求の範囲】
【請求項１】
洗面キャビネットの上部にボウルを備えその上方に空間部を介して前方にミラー部を有するミラーキャビネットを設ける洗面化粧台であって、
前記空間部には、前記ボウルの後方の垂直な立壁部と、この立壁部の上端から前記ミラーキャビネットの下部を覆うように前方に延びる天面張出部と、が前記ボウルと連続して一体的に形成され、
前記天面張出部は前面部と下面部で形成され、前記前面部が前記ミラー部より前方に突出せず、水栓装置と配水管が前記立壁部と前記天面張出部とに収納され、吐水口が前記下面部に設けられることを特徴とする洗面化粧台。
【請求項２】
請求項１に記載の洗面化粧台であって、前記下面部は水平面又は傾斜面で形成されることを特徴とする洗面化粧台。
【請求項３】
請求項１又は請求項２に記載の洗面化粧台であって、前記吐水口は垂直下方又は前方斜め下方に向けて設けられることを特徴とする洗面化粧台。
【発明の詳細な説明】
【技術分野】
【０００１】
本発明は、洗面キャビネットの上方にミラーキャビネットを設ける洗面化粧台であって、詳しくは、洗髪時の作業スペースが広く確保できる洗面化粧台の構造に関する。
【背景技術】
【０００２】
従来、洗面キャビネットの上方にミラーキャビネットを設ける洗面化粧台の構造については、特許文献１、２に記載の内容が知られている。
【０００３】
特許文献１によれば、図５に示すように、上方へ開口したボウル１の後端に立壁部２を立設して、立壁部２の上端前面に棚板部３を突設し、棚板部３の下面に吐水カラン４が設けられる。このとき、ボウル１は立壁部２及び棚板部３と一体形成し、吐水カラン４へ湯水を供給する配水管５をボウル１から立壁部２及び棚板部３の内部スペースに収容配管する。
【０００４】
また、棚板部３の下面に取着開口６を形成して取着開口６にシャワーを噴出する吐水口４を着脱自在に付設すると共に、配水管５を柔軟なホースで形成して配水管５を取着開口６に出し入れ自在に挿通する。この場合、ボウル１を洗面キャビネット７上に設置し、洗面キャビネット７内から配水管５をボウル１へと延設配管する。立壁部２の上端上にミラーキャビネット８が設置される。
【０００５】
同様に、特許文献２によれば、図６に示すように、洗面キャビネット９の上部に略球状の洗面ボウル１０が取り付けられ、この洗面ボウル１０の上部にミラーキャビネット５２が配設される。
【０００６】
洗面ボウル１０は、断面形状が略Ｃ字状に形成されてその前方部に大きな開口１１を備えて構成され、その底部１２が洗面キャビネット９の上部開口に落とし込まれた状態で安定的に装着されている。洗面ボウル１０の底部には排水口１３が連結される。
【０００７】
洗面ボウル１０の天井部１４の内側前方部には、シャワーヘッド１５の吐水口１６が配設される。このシャワーヘッド１５は、洗面ボウル１０に形成された空隙部２０内に配管されてなる配管１９の一端部に連通接続されているとともにに、配管１９の他端部は洗面ボウル１０外へと導き出される。
【０００８】
シャワーヘッド１５の吐水口１６は、洗面ボウル１０の前面側前下がり部分に取り付けられており、吐水口１６から噴射される湯水が洗面ボウル１０の奥行側方向へと噴射されるように配設されている。
【０００９】
この洗面キャビネット９で洗髪するときには、身体を略９０度屈曲させ、頭部を洗面ボウル１０内に挿入する。シャワーヘッド１５からの温水は、洗面ボウル１０内に挿入された頭部の後ろ側から洗面ボウル１０の奥行側方向へと噴射されて供給されるため、湯水が洗面ボウル１０で反射して床を濡らすことがなく、しかも、両手で洗髪作業を行うことができる。
【特許文献１】特開平１１−１６９３０９号公報
【特許文献２】実開平７−３８２６７号公報
【発明の開示】
【発明が解決しようとする課題】
【００１０】
ところが、特許文献１、２共に、ミラーキャビネット８、５２よりも吐水カラン４、１５が突出して配設されている。このため、ミラーキャビネット８、５２の鏡を使用する位置と同じ位置に立って洗髪しようとすると、吐水カラン４、１５が邪魔になるためミラーキャビネット８、５２から少し離れた位置に移動して洗髪する必要があるので作業効率が悪いという問題があった。
【００１１】
そこで、本発明は上記問題を解決して、洗面キャビネットの上方にミラーキャビネットを設ける洗面化粧台の構造であって、作業スペースが広く確保できて作業効率が向上する洗面化粧台の構造を提供することを目的とする。
【課題を解決するための手段】
【００１２】
請求項１の発明は、洗面キャビネットの上部にボウルを備えその上方に空間部を介して前方にミラー部を有するミラーキャビネットを設ける洗面化粧台であって、前記空間部には、前記ボウルの後方の垂直な立壁部と、この立壁部の上端から前記ミラーキャビネットの下部を覆うように前方に延びる天面張出部と、が前記ボウルと連続して一体的に形成され、前記天面張出部は前面部と下面部で形成され、前記前面部が前記ミラー部より前方に突出せず、水栓装置と配水管が前記立壁部と前記天面張出部とに収納され、吐水口が前記下面部に設けられることを特徴としている。
【００１３】
請求項２の発明は、請求項１に記載の洗面化粧台であって、前記下面部は水平面又は傾斜面で形成されることを特徴としている。
【００１４】
請求項３の発明は、請求項１又は請求項２に記載の洗面化粧台であって、前記吐水口は垂直下方又は前方斜め下方に向けて設けられることを特徴としている。
【発明の効果】
【００１５】
請求項１の発明によれば、前記空間部には、前記ボウルの後方の垂直な立壁部と、この立壁部の上端から前記ミラーキャビネットの下部を覆うように前方に延びる天面張出部と、が前記ボウルと連続して一体的に形成されるので、水垢やゴミが附着することがないので日常の手入れが省けて清掃性に優れる。
【００１６】
また、前記天面張出部は前面部と下面部で形成され、前記前面部が前記ミラー部より前方に突出しないので、作業スペースが広く確保できるので洗髪時に頭をぶつけることもなく安全性が向上するとともに作業姿勢が楽になるので作業性に優れる。さらに、水栓装置と配水管が前記立壁部と前記天面張出部とに収納され、吐水口が前記下面部に設けられるので、前記立壁部と前記天面張出部から前記空間部へ突出する装置が最小限に抑えられるので日常の手入れが省けて清掃性に優れる。
【００１７】
請求項２の発明によれば、前記下面部は水平面又は傾斜面で形成されるので、蛇口の取付け方法が選択できるので最適吐水方向に取付け可能となり商品価値が向上する。
【００１８】
請求項３の発明によれば、前記吐水口は垂直下方又は前方斜め下方に向けて設けられるので請求項２の発明の効果と同様の効果が得られる。
【発明を実施するための最良の形態】
【００１９】
以下に、本発明の第一の実施形態を図１〜図３に基づいて説明する。
＜洗面化粧台の構成＞  
【００２０】
図１、図２、図３に示すように、洗面化粧台２１は洗面キャビネット２２の上部２２ａにボウル２３を備えその上方に空間部２４を介してミラーキャビネット２５を設ける構造である。ミラーキャビネット２５の前方にはミラー部２５ａを備える。
【００２１】
空間部２４には、ボウル２３の後方で垂直な立壁部２６と、この立壁部２６の上端部２６ａからミラーキャビネット２５の下部を覆うように前方に延びる天面張出部２９と、がボウル２３に連続して一体的に形成される。より詳しくは、天面張出部２９は前面部２８と下面部２７で形成され、立壁部２６の上端部２６ａに水平の下面部２７が連続し、下面部２７の前端部２７ａに垂直な前面部２８が連続する。
【００２２】
ボウル２３は後面２３ａと両側面２３ｂと前面２３ｃと底板２３ｄとから成り、洗面キャビネット２２の上部２２ａに平面視矩形形状に配置される。そして、ボウル２３の後面２３ａの上部が立壁部２６に連続する。洗面ボウル２３の底板２３ｄには排水を下水管に導くための排出口２３ｅが設けられる。
【００２３】
洗面化粧台２１とミラーキャビネット２５は裏板３０で一体的に連結され、立壁部２６と下面部２７と前面部２８とは側板３０ａで覆われる。立壁部２６と下面部２７と前面部２８と裏板３０と側板３０ａとで囲われて裏空間部３１が形成される。裏空間部３１は洗面キャビネット２２の内部と繋がっている。
【００２４】
そして、下面部２７の前端部２７ａはミラーキャビネット２５のミラー部２５ａより突出しない位置に形成される。
【００２５】
水栓装置３７と配水管３９とは裏空間部３１に収納され、断面略円形状の吐水口３５は下面部２７における幅方向の中央部に設けられた取付け孔３６から突出して設けられる。なお、下面部２７は水平面で形成されるが、吐水口３５は前方斜め下方に向けて設けられるので取付け孔３６は吐水口３５の形状に合わせて略長円形状に形成される。水栓装置３７は裏空間部３１に収納され、水栓装置レバー３８が立壁部２６の上方部に突出して設けられる。
【００２６】
ボウル２３と立壁部２６と下面部２７と前面部２８とは樹脂成形品で連続して一体的に形成され、配水管３９は樹脂又はステンレス等の錆びない金属で形成されフレキシブル管が用いられる。
＜洗面化粧台の作用＞
【００２７】
上記、空間部２４には、ボウル２３と、ボウル２３の後方の垂直な立壁部２６と、この立壁部２６の上端部２６ａから前方に延びる下面部２７と、下面部２７の前端部２７ａから上方に垂直な前面部２８と、が連続して一体的に形成されるので、水垢やゴミが附着することがないので日常の手入れが省けて清掃性に優れる。一体的に継ぎ目なく形成されるので見た目がスッキリとしてデザイン性にも優れる。
【００２８】
また、下面部２７の前端部２７ａがミラーキャビネット２５のミラー部２５ａより突出しないので、洗髪時に頭をぶつけることもないので安全性及び作業性に優れる。さらに、吐水口３５は下面部２７に設けられ水栓装置３７と配水管３９が裏空間部３１に収納されるので前記空間部２４へ突出する装置が最小限に抑えられるので、水はね等によって汚れることもなく日常の手入れが省けて清掃性に優れる。
【００２９】
＜本発明の第二の実施形態＞
本発明の第二の実施形態における洗面化粧台の構造を図４を用いて説明するが、図２に示す洗面化粧台の構造の構成と同様の構成部分については図面に同符号を付して重複した説明を省略する。
【００３０】
図４に示すように、下面部２７は傾斜面で形成されるので外観性がよく品質が向上するとともに、傾斜面に垂直に蛇口３５を取り付けるため取付け孔３６が略円形なので取付け孔３６の加工が容易である。
【００３１】
以上、本発明の実施例を図面に基づいて説明したが、具体的な構成はこの実施例に限られるものではなく本発明の要旨を逸脱しない範囲の設計変更等があっても本発明に含まれる。
【００３２】
例えば、吐水口は垂直下方に向ける構成でも構わない。ボウル２３は陶器、ホーロー鋼板で形成してもよい。吐水口３５は下面部２７の取付け孔３６からフレキシブル配管で引出し入れ可能な構成でもよい。
【００３３】
ボウル２３と、立壁部２６と、下面部２７と、前面部２８とは、それぞれ別体で形成した後に溶接等で継ぎ目なく一体的に連続して形成する構成でも構わない。
【図面の簡単な説明】
【００３４】
【図１】本発明の第一の実施形態における、洗面化粧台２１の構造を示す斜視図である。
【図２】本発明の第一の実施形態における、図１のＡ−Ａ断面透視図である。
【図３】本発明の第一の実施形態における、使用者が洗面化粧台２１で洗髪する状態を示す側面図である。
【図４】本発明の第二の実施形態における、図１におけるＡ−Ａ断面透視図である。
【図５】従来例における、ボウル１の構造を示す断面図である。
【図６】他の従来例における、洗面ボウル１０を使用時の側面断面図である。
【符号の説明】
【００３５】
２１  洗面化粧台
２２  洗面キャビネット
２２ａ  上部
２３  ボウル
２４  空間部
２５  ミラーキャビネット
２５ａ  ミラー部
２６  立壁部
２６ａ  上端部
２７  下面部
２７ａ  前端部
２８  前面部
２９  天面張出部
３１  裏空間部
３５  吐水口
３７  水栓装置
３６  取付け孔
３８  水栓装置レバー
３９  配水管
【図１】
2009153552.tif 000003
【図２】
2009153552.tif 000004
【図３】
2009153552.tif 000005
【図４】
2009153552.tif 000006
【図５】
2009153552.tif 000007
【図６】
2009153552.tif 000008